(57)【要約】【課題】転倒防止グッズによって室内が雑然として狭く見えてしまうこともなく、簡単かつ確実に家具類の転倒防止作業を行えるようにする。【解決手段】建物２の内壁３に凹部４を形成し、該凹部４には空隙部形成部材９や係止部材（形鋼）６を配置し、家具類と係止部材６や空隙部形成部材９とは連結部材５によって連結できるようにする。該連結部材５のフック５ａを前記係止部材６に引っ掛けたり該連結部材５を前記空隙部形成部材９にねじ留め（不図示）することで該連結部材５は簡単かつ確実に連結することができる。したがって、突っ張り棒等の市販の転倒防止グッズを使わなくても良くなり、該転倒防止グッズによって室内が雑然として狭く見えてしまうこともなく、かつ、簡単かつ確実に家具類の転倒防止作業を行うことができる。【選択図】図１
2015024018.tif 000002
【特許請求の範囲】
【請求項１】
建物の内壁に形成された凹部と、
その室内側の表面が前記内壁の表面と略一致するように前記凹部内に配置されると共に、家具又は電化製品（以下、“家具類”とする）に連結される連結部材を係止可能な係止部材と、
該係止部材を前記内壁に固定する固定部材と、
を備え、
前記家具類と前記係止部材とを前記連結部材により連結することにより家具類の転倒を防止するように構成された、
ことを特徴とする家具類の転倒防止構造。
【請求項２】
前記係止部材は、前記連結部材のフックを引っ掛け可能な引っ掛け部、及び／又は該連結部材を係止するための係止具を打ち込み可能な係止具打ち込み部、を少なくとも一部に有する、
ことを特徴とする請求項１に記載の家具類の転倒防止構造。
【請求項３】
前記係止具は、くぎ、ねじ、ステープル、ボルト、鋲又はピンである、
ことを特徴とする請求項２に記載の家具類の転倒防止構造。
【請求項４】
前記係止具打ち込み部は木製又は樹脂製である、
ことを特徴とする請求項２又は３に記載の家具類の転倒防止構造。
【請求項５】
前記係止部材は、前記連結部材のフックを引っ掛け可能な引っ掛け部を有し、
略水平方向に延設された前記凹部の上縁部及び／又は下縁部に沿って空隙部を形成するように空隙部形成部材が前記凹部内に配置され、
該空隙部には、前記連結部材のフックの挿脱を許容するための開口部を前記凹部の上縁部及び／又は下縁部との間に形成するように前記係止部材が配置された、
ことを特徴とする請求項１に記載の家具類の転倒防止構造。
【請求項６】
前記係止部材は金属製の形鋼であり、
前記固定部材は、前記係止部材を前記空隙部形成部材に固定する第１固定部材と、該空隙部形成部材を前記内壁に固定する第２固定部材と、からなり、
前記係止部材は、前記第１固定部材、前記空隙部形成部材及び前記第２固定部材を介して前記内壁に固定されてなる、
ことを特徴とする請求項５に記載の家具類の転倒防止構造。
【請求項７】
前記空隙部形成部材及び前記係止部材は、それらの室内側の表面が前記内壁の表面と略一致するように構成された、
ことを特徴とする請求項５又は６に記載の家具類の転倒防止構造。
【請求項８】
前記凹部は前記内壁の表裏の対応する位置にそれぞれ形成され、
表裏のそれぞれの凹部には、前記空隙部形成部材及び前記係止部材がそれぞれ配置され、
前記第２固定部材は前記内壁を貫通するように配置されて、前記内壁の表裏にそれぞれ配置された前記空隙部形成部材を連結してなる、
ことを特徴とする請求項５乃至７のいずれか１項に記載の家具類の転倒防止構造。
【請求項９】
建物の内壁に形成された凹部であって略水平方向に延設されてなる凹部と、
その室内側の表面が前記内壁の表面と略一致すると共に前記凹部の上縁部及び／又は下縁部に沿って空隙部を形成するように第２固定部材により前記内壁に固定された状態で前記凹部内に配置されてなる空隙部形成部材と、
家具類に連結される連結部材のフックを引っ掛け可能な引っ掛け部を有すると共に、該フックの挿脱を許容するための開口部を前記凹部の上縁部及び／又は下縁部との間に形成するように第１固定部材により前記空隙部形成部材に固定された状態で前記空隙部に配置されてなる金属製の形鋼からなる係止部材と、
を備えた家具類の転倒防止構造の製造方法において、
前記凹部を建物の内壁に形成する工程と、
前記空隙部形成部材の表面であって前記空隙部の側に配置される側の表面に前記第１固定部材により前記係止部材を固定する工程と、
該係止部材が固定されてなる前記空隙部形成部材を前記凹部内に配置すると共に該空隙部形成部材を前記第２固定部材により前記内壁に固定する工程と、
を備えたことを特徴とする家具類の転倒防止構造の製造方法。
【請求項１０】
前記第１固定部材及び前記第２工程部材は、くぎ、ねじ、ステープル、ボルト、鋲又はピンである、
ことを特徴とする請求項９に記載の家具類の転倒防止構造の製造方法。
【発明の詳細な説明】
【技術分野】
【０００１】
本発明は、家具や電化製品（以下、“家具類”とする）の転倒防止のための係止部材を建物の内壁に配置した家具類の転倒防止構造、及びその製造方法に係り、詳しくは、該係止部材を内壁に形成した凹部に配置した構造及び製造方法に関する。
【背景技術】
【０００２】
従来、地震発生時に家具（食器棚や本棚やタンス等）や電化製品（冷蔵庫やテレビ等）が転倒しないようにするために様々な対策が施されている。
【０００３】
例えば、家具類と天井との間に配置する突っ張り棒について様々な構造のものが提案されたり販売されたりしている（例えば、特許文献１及び２参照）。また、紐やチェーン等の様々な連結部材（特許文献３参照）を使って家具類を建物の内壁に固定する方法も採られている。
【先行技術文献】
【特許文献】
【０００４】
【特許文献１】特開平０９−２６２１４７号公報
【特許文献２】特開２０１３−９４６５３号公報
【特許文献３】特開２００８−１５４６５３号公報
【発明の概要】
【発明が解決しようとする課題】
【０００５】
しかしながら、上述のような突っ張り棒を本棚や食器棚や冷蔵庫の上に設置すると、室内が雑然として狭く見えてしまい、美観という点でも問題があった。また、上述のような連結部材を利用して家具類を建物の内壁に固定する場合にも種々の問題があった。例えば、内壁がコンクリート製の場合にはアンカーボルトを打つこと自体が大変な作業となるし、集合住宅の場合で内壁が共用部分である場合にはボルトを打つこと自体が認められない。
【０００６】
本発明は、上述の問題を解消することのできる家具類の転倒防止構造及びその製造方法を提供することを目的とするものである。
【課題を解決するための手段】
【０００７】
請求項１に係る発明は、図１(a) 〜(c) 及び図２に例示するものであって、建物（２）の内壁（３）に形成された凹部（４）と、
その室内側の表面（６ａ，１６ａ）が前記内壁（３）の表面（３ａ）と略一致するように前記凹部（４）内に配置されると共に、家具又は電化製品（符号１０参照。以下、“家具類”とする）に連結される連結部材（５）を係止可能な係止部材（６，１６）と、
該係止部材（６，１６）を前記内壁（３）に固定する固定部材（７Ａ，７Ｂ）と、
を備え、
前記家具類（１０）と前記係止部材（６，１６）とを前記連結部材（５）により連結することにより家具類（１０）の転倒を防止するように構成された家具類の転倒防止構造（１，１１）であることを特徴とする。
【０００８】
請求項２に係る発明は、請求項１に係る発明において、前記係止部材（６，１６）が、前記連結部材（５）のフック（５ａ）を引っ掛け可能な引っ掛け部（６ｂ，１６ｂ）、及び／又は該連結部材（５）を係止するための係止具（不図示）を打ち込み可能な係止具打ち込み部、を少なくとも一部に有することを特徴とする。
【０００９】
請求項３に係る発明は、請求項２に係る発明において、前記係止具が、くぎ、ねじ、ステープル、ボルト、鋲又はピンであることを特徴とする。
【００１０】
請求項４に係る発明は、請求項２又は３に係る発明において、前記係止具打ち込み部は木製又は樹脂製であることを特徴とする。
【００１１】
請求項５に係る発明は、請求項１に係る発明において、図１(a) 〜(c) に例示するように、前記係止部材（６）が、前記連結部材（５）のフック（５ａ）を引っ掛け可能な引っ掛け部（６ｂ）を有し、
略水平方向（ｘ）に延設された前記凹部（４）の上縁部（４ａ）及び／又は下縁部（４ｂ）に沿って空隙部（８）を形成するように空隙部形成部材（９）が前記凹部（４）内に配置され、
該空隙部（８）には、前記連結部材（５）のフック（５ａ）の挿脱を許容するための開口部（８ａ）を前記凹部（４）の上縁部（４ａ）及び／又は下縁部（４ｂ）との間に形成するように前記係止部材（６）が配置されたことを特徴とする。
【００１２】
請求項６に係る発明は、請求項５に係る発明において、前記係止部材（６）が金属製の形鋼であり、
前記固定部材（７Ａ，７Ｂ）は、前記係止部材（６）を前記空隙部形成部材（９）に固定する第１固定部材（７Ａ）と、該空隙部形成部材（９）を前記内壁（３）に固定する第２固定部材（７Ｂ）と、からなり、
前記係止部材（６）は、前記第１固定部材（７Ａ）、前記空隙部形成部材（９）及び前記第２固定部材（７Ｂ）を介して前記内壁（３）に固定されてなることを特徴とする。
【００１３】
請求項７に係る発明は、請求項５又は６に記載の発明において、前記空隙部形成部材（９）及び前記係止部材（６）が、それらの室内側の表面（９ａ，６ａ）が前記内壁（３）の表面（３ａ）と略一致するように構成されたことを特徴とする。
【００１４】
請求項８に係る発明は、請求項５乃至７のいずれか１項に記載の発明において、図１(a) に例示するように、前記凹部（４）は前記内壁（３）の表裏の対応する位置にそれぞれ形成され、
表裏のそれぞれの凹部（４）には、前記空隙部形成部材（９）及び前記係止部材（６）がそれぞれ配置され、
前記第２固定部材（７Ｂ）は前記内壁（３）を貫通するように配置されて、前記内壁（３）の表裏にそれぞれ配置された前記空隙部形成部材（９）を連結してなることを特徴とする。
【００１５】
請求項９に係る発明は、建物（２）の内壁（３）に形成された凹部（４）であって略水平方向（ｘ）に延設されてなる凹部（４）と、
その室内側の表面（９ａ）が前記内壁（３）の表面（３ａ）と略一致すると共に前記凹部（４）の上縁部（４ａ）及び／又は下縁部（４ｂ）に沿って空隙部（８）を形成するように第２固定部材（７Ｂ）により前記内壁（３）に固定された状態で前記凹部（４）内に配置されてなる空隙部形成部材（９）と、
家具類（１０）に連結される連結部材（５）のフック（５ａ）を引っ掛け可能な引っ掛け部（６ｂ）を有すると共に、該フック（５ａ）の挿脱を許容するための開口部（８ａ）を前記凹部（４）の上縁部（４ａ）及び／又は下縁部（４ｂ）との間に形成するように第１固定部材（７Ａ）により前記空隙部形成部材（９）に固定された状態で前記空隙部（８）に配置されてなる金属製の形鋼からなる係止部材（６）と、
を備えた家具類の転倒防止構造の製造方法において、
前記凹部（４）を建物（２）の内壁（３）に形成する工程と、
前記空隙部形成部材（９）の表面であって前記空隙部（８）の側に配置される側の表面に前記第１固定部材（７Ａ）により前記係止部材（６）を固定する工程と、
該係止部材（６）が固定されてなる前記空隙部形成部材（９）を前記凹部（４）内に配置すると共に該空隙部形成部材（９）を前記第２固定部材（７Ｂ）により前記内壁（３）に固定する工程と、を備えたことを特徴とする。
【００１６】
請求項１０に係る発明は、請求項９に係る発明において、前記第１固定部材（７Ａ）及び前記第２固定部材（７Ｂ）が、くぎ、ねじ、ステープル、ボルト、鋲又はピンであることを特徴とする。
【００１７】
なお、括弧内の番号などは、図面における対応する要素を示す便宜的なものであり、従って、本記述は図面上の記載に限定拘束されるものではない。
【発明の効果】
【００１８】
請求項１乃至４に係る発明によれば、前記係止部材は前記内壁の凹部内に配置されていて出っ張らないので、家具類を前記内壁に接するように配置することが出来、室内が狭くなることも無い。また、家具類と天井との間に突っ張り棒を配置しなくて済むので室内が雑然として狭く見えてしまうことも無く、美観の点でも優れる。さらに、フックや係止具を利用して家具類との連結作業を簡単に行うことができ、集合住宅の場合で前記内壁が共用部分であっても該内壁を家具類の転倒防止のために利用することができる。
【００１９】
請求項５乃至７、９及び１９に係る発明によれば、係止部材には汎用品である形鋼を流用できるので、部品コストを下げることができる。また、溝が浅い形鋼であってもぐらつくことなく堅固に内壁に固定することができる。
【００２０】
請求項８に係る発明によれば、前記空隙部形成部材をより堅固に前記内壁に固定することができる。
【図面の簡単な説明】
【００２１】
【図１】図１(a) は、本発明に係る家具類の転倒防止構造の一例を示す断面図であり、(b) はその要部を示す拡大断面図であり、(c) は正面図である。
【図２】図２は、本発明に係る家具類の転倒防止構造の他の例を示す拡大断面図である。
【発明を実施するための形態】
【００２２】
以下、図１及び図２に沿って、本発明の実施の形態について説明する。
【００２３】
本発明に係る家具類の転倒防止構造は、図１及び図２に符号１，１１で例示するものであって、
・  建物２の内壁３に形成された凹部４と、
・  その室内側の表面（家具や電化製品が配置される側の表面）６ａ，１６ａが前記内壁３の表面３ａと略一致するように前記凹部４内に配置されると共に、家具類１０に連結される連結部材５を係止可能な係止部材６，１６と、
・  該係止部材６，１６を前記内壁３に固定する固定部材７Ａ，７Ｂと、
を備えており、前記家具類１０と前記係止部材６，１６とを前記連結部材５により連結することにより家具類１０の転倒を防止するように構成されている。
【００２４】
ここで、本明細書における建物とは、土地に定着する工作物のうち、屋根、柱及び壁を有し、人間の居住、作業空間、物品の保管等に用いられる建築物をいい、集合住宅及び一戸建てを含む概念である。また、内壁とは、一般には屋内を間仕切る壁を意味するが、集合住宅における戸境壁も含む概念であり、コンクリート製の壁及びコンクリート製以外の壁の両方を含む概念である。さらに、図１(c) に示す凹部４は、前記内壁３の略水平方向ｘに延設されているが、略水平方向ｘ以外の方向（例えば、鉛直方向）に延設されているもの、或いは“延設されている”とは言えないような寸法のもの（つまり、内壁３に局所的に短く形成された凹部）を排除するものでは無い。またさらに、本明細書における連結部材とは、家具類１０と前記係止部材６，１６とを連結する部材であってベルトや紐やワイヤーやチェーン等の可撓性に富む長尺部材、及び可撓性に富まない部材（樹脂や木や金属等で形成された様々な形状の部材）を含む概念である。また、図２に例示する係止部材１６は、前記連結部材５のフック５ａを引っ掛け可能な引っ掛け部１６ｂをその上部に有しているが、もちろんこれに限られるものではなく、該引っ掛け部１６ｂを上部以外の部分に有していても良く、さらには、該引っ掛け部１６ｂを有さずに、前記連結部材５を係止するための係止具（不図示。くぎ、ねじ、ステープル、ボルト、鋲又はピン等のように該連結部材５を係止するための公知の部品）を打ち込み可能な係止具打ち込み部（例えば、木製や樹脂製や金属製の部分）を全体又は少なくとも一部に有していても良いし、該引っ掛け部１６ｂ及び該係止具打ち込み部の両方を有していても良い。またさらに、前記固定部材７Ａ，７Ｂは、くぎ、ねじ、ステープル、ボルト、鋲又はピン等を含む概念である。なお、家具類１０を上述のようなフック５ａで前記係止部材６，１６に連結する場合には、地震発生時に該フック５ａが前記係止部材６，１６から外れてしまわないように適切な方法を採る必要がある。
【００２５】
本発明によれば、前記係止部材６，１６は前記内壁３の凹部４内に配置されていて出っ張らないので、家具類１０を前記内壁３に接するように配置することが出来、室内が狭くなることも無い。また、家具類１０と天井との間に突っ張り棒を配置しなくて済むので室内が雑然として狭く見えてしまうことも無く、美観の点でも優れる。さらに、上述のようにフック５aや係止具を利用して家具類１０との連結作業を簡単に行うことができ、集合住宅の場合で前記内壁３が共用部分であっても該内壁３を家具類１０の転倒防止のために利用することができる。
【００２６】
一方、図１(b) に例示するように、前記係止部材６が、前記連結部材５のフック５ａを引っ掛け可能な引っ掛け部６ｂを有するようにし、前記凹部４を略水平方向ｘに延設し、該凹部４の内部には、該凹部４の上縁部４ａ及び／又は下縁部４ｂに沿って空隙部８を形成するように（言い換えれば、空隙部８を残して前記凹部４を埋めるように）空隙部形成部材９を配置し、該空隙部８には前記係止部材６を配置すると良い。この場合、前記連結部材５のフック５ａの挿脱を許容するための開口部８ａを前記凹部４の上縁部４ａ及び／又は下縁部４ｂとの間に形成しておくと良い。また、前記係止部材６を金属製（例えば、アルミ製やステンレス製や鋼製）の形鋼とし、前記固定部材７Ａ，７Ｂは、
・  前記係止部材６を前記空隙部形成部材９に固定する第１固定部材７Ａと、
・  該空隙部形成部材９を前記内壁３に固定する第２固定部材７Ｂと、
により構成するようにして、前記係止部材６が、前記第１固定部材７Ａ、前記空隙部形成部材９及び前記第２固定部材７Ｂを介して前記内壁３に固定されるようにすると良い。さらに、前記空隙部形成部材９及び前記係止部材６は、それらの室内側の表面９ａ，６ａが前記内壁３の表面３ａと略一致するように構成すると良い。なお、前記空隙部形成部材９は、全体又は少なくとも一部を樹脂製や木製として前記係止具（つまり、くぎ、ねじ、ステープル、ボルト、鋲又はピン等のように該連結部材５を係止するための公知の部品）を打ち込み可能とし、該係止具によっても家具類１０を固定できるようにしても良い。また、図１(b) に例示する係止部材６は溝形鋼（コの字形をした形鋼）であるが、フックを引っ掛けることができる形状であれば良く、Ｌ形鋼やＨ形鋼やＴ形鋼等の他の形状の形鋼を排除する趣旨ではない。
【００２７】
地震発生時の衝撃を考慮すると、前記フック５ａを引っ掛ける部分（つまり、前記係止部材６，１６の引っ掛け部６ｂ，１６ｂ）では十分な強度を確保しておく必要があり、該係止部材を木製とするよりもアルミやステンレスや鉄鋼等の金属で形成することが望まれる。ここで、図２に例示するような係止部材１６の場合、特殊な形状をしているので金属製にする場合には製作コストが高くなってしまうが、図１(b) に例示するような係止部材６の場合には汎用品である形鋼を流用できるので、部品コストを下げることができるという効果がある。また、溝が浅い形鋼（つまり、図１(b) にてｙ方向の寸法が小さい形鋼）を上述のような空隙部形成部材９を使用せずに直接アンカーボルトなどで前記内壁３に固定しようとしても、該ｙ方向の寸法が小さいためにアンカーボルトを貫通させるための貫通孔を開けるだけのスペースが該形鋼の側に無いおそれがあるし、貫通孔を開けることができてアンカーボルトにより該形鋼を前記内壁３に取り付けたとしても形鋼がぐらついてしまうおそれがある。しかし、本発明の場合、係止部材６である形鋼は前記内壁３にではなく前記空隙部形成部材９の側に固定することとなるので該形鋼はｚ方向の幅広の部分が該空隙部形成部材９にしっかりと固定されることとなり、溝が浅い形鋼であってもぐらつくことなく堅固に内壁３に固定されることとなる。
【００２８】
ところで、図１(a) に例示するように、前記凹部４は前記内壁３の表裏の対応する位置にそれぞれ形成され、
表裏のそれぞれの凹部４には、前記空隙部形成部材９及び前記係止部材６がそれぞれ配置され、
前記第２固定部材７Ｂは前記内壁３を貫通するように配置されて、前記内壁３の表裏にそれぞれ配置された前記空隙部形成部材９を連結するようにすると良い。そのようにした場合には、該空隙部形成部材９をより堅固に該内壁３に固定することができる。
【００２９】
一方、本発明に係る家具類の転倒防止構造の製造方法は、
・  建物２の内壁３に形成された凹部４であって略水平方向ｘに延設されてなる凹部４と、
・  その室内側の表面９ａが前記内壁３の表面３ａと略一致すると共に前記凹部４の上縁部４ａ及び／又は下縁部４ｂに沿って空隙部８を形成するように第２固定部材７Ｂにより前記内壁３に固定された状態で前記凹部４内に配置されてなる空隙部形成部材９と、
・  家具類１０に連結される連結部材５のフック５ａを引っ掛け可能な引っ掛け部６ｂを有すると共に、該フック５ａの挿脱を許容するための開口部８ａを前記凹部４の上縁部４ａ及び／又は下縁部４ｂとの間に形成するように第１固定部材７Ａにより前記空隙部形成部材９に固定された状態で前記空隙部８に配置されてなる金属製の形鋼からなる係止部材６と、
を備えた家具類の転倒防止構造を製造する方法であって、
・  前記凹部４を建物２の内壁３に形成する工程と、
・  前記空隙部形成部材９の表面であって前記空隙部８の側に配置される側の表面に前記第１固定部材７Ａにより前記係止部材６を固定する工程と、
・  該係止部材６が固定されてなる前記空隙部形成部材９を前記凹部４内に配置すると共に該空隙部形成部材９を前記第２固定部材７Ｂにより前記内壁３に固定する工程と、
を備えたことを特徴とする。この場合、前記第１固定部材７Ａ及び前記第２固定部材７Ｂは、くぎ、ねじ、ステープル、ボルト、鋲又はピンにすると良い。また、前記凹部４を建物２の内壁３に形成する方法は、コンクリート打設時に押し型を押し付けるなどの公知の方法で行うようにすると良い。
【００３０】
本発明によれば、上述したような効果を奏する。すなわち、溝が浅い形鋼（つまり、図１(b) にてｙ方向の寸法が小さい形鋼）を上述のような空隙部形成部材９を使用せずに直接アンカーボルトなどで前記内壁３に固定しようとしても、該ｙ方向の寸法が小さいためにアンカーボルトを貫通させるための貫通孔を開けるだけのスペースが該形鋼の側に無いおそれがあるし、貫通孔を開けることができてアンカーボルトにより該形鋼を前記内壁３に取り付けたとしても形鋼がぐらついてしまうおそれがある。しかし、本発明の場合、係止部材６である形鋼は前記内壁３にではなく前記空隙部形成部材９の側に固定することとなるので該形鋼はｚ方向の幅広の部分が該空隙部形成部材９にしっかりと固定されることとなり、溝が浅い形鋼であってもぐらつくことなく堅固に内壁３に固定されることとなる。
【００３１】
なお、上述の構造では、開口部８ａ以外の部分（つまり、前記係止部材６，１６や前記空隙部形成部材９など）はクロス（壁紙）で覆ってしまうと良く、その方が部屋の美観を損ねにくくて好ましい。
【符号の説明】
【００３２】
１                家具類の転倒防止構造
２                建物
３                内壁
３ａ              内壁の表面
４                凹部
４ａ              凹部の上縁部
４ｂ              凹部の下縁部
５                連結部材
５ａ              フック
６                係止部材
６ａ              係止部材の室内側の表面
６ｂ              引っ掛け部
７Ａ              固定部材（第１固定部材）
７Ｂ              固定部材（第２固定部材）
８                空隙部
８ａ              開口部
９                空隙部形成部材
９ａ              空隙部形成部材の室内側の表面
１０              家具類
１１              家具類の転倒防止構造
１６              係止部材
１６ａ            係止部材の室内側の表面
１６ｂ            引っ掛け部
【図１】
2015024018.tif 000003
【図２】
2015024018.tif 000004